(57)【要約】【課題】再書き込みを行うことなく、表示のＯＮ／ＯＦＦを切り替える。【解決手段】画素メモリ内蔵液晶パネル２は、電位を保持するデジタルメモリ素子６１８と、デジタルメモリ素子６１８が保持する電位が供給されることによって表示を行う液晶セル６１４とを含む画素が複数配列してなる記憶素子付表示部を有し、デジタルメモリ素子６１８の保持する電位が液晶セル６１４に供給される状態と、供給されない状態とを切り替えるＡＮＤ回路６２２及び表示スイッチ４を備えているので、再書き込みを行うことなく、表示のＯＮ／ＯＦＦを切り替えることができる。【選択図】図１
2011118307.tif 000002
【特許請求の範囲】
【請求項１】
電位を保持する記憶素子と、該記憶素子が保持する電位が供給されることによって表示を行う表示素子とを含む画素が複数配列してなる記憶素子付表示部を有する表示装置であって、
上記記憶素子の保持する電位が上記表示素子に供給される状態と、供給されない状態とを切り替える切替手段を備えていることを特徴とする表示装置。
【請求項２】
上記記憶素子付表示部に表示させる画像を記憶する記憶部と、
上記記憶部に記憶されている画像を規定する電位を上記記憶素子に保持させる記憶画像表示制御手段とを備えていることを特徴とする請求項１に記載の表示装置。
【請求項３】
画像を表示する、上記記憶素子付表示部とは異なる表示部を備え、
上記表示部に表示された画像の一部または全部を規定する電位を上記記憶素子に保持させる指定画像表示制御手段を備えていることを特徴とする請求項１または２に記載の表示装置。
【請求項４】
請求項１から３の何れか１項に記載の表示装置と、該表示装置を駆動して画像を表示させる表示処理手段とを備えた情報処理装置であって、
上記表示処理手段が上記表示装置を駆動するための電力供給を、上記表示装置が画像を表示するための電力供給とは独立に制御する電力供給制御手段を備えていることを特徴とする情報処理装置。
【発明の詳細な説明】
【技術分野】
【０００１】
本発明は、画像を記憶する機能を有する表示装置、及び該表示装置を備えた情報処理装置に関する。
【背景技術】
【０００２】
携帯電話機やＰＤＡ（Personal Digital Assistance）等の携帯型の情報処理装置では、バッテリーの容量に限界があるため、消費電力を低減させることが従来から求められている。また、近年の省エネ志向の高まりに応じて、パーソナルコンピュータ（以下、パソコンと言う）等の据え置き型の情報処理装置においても、消費電力の低減が求められている。特に、画像を表示する際に消費される電力は、情報処理装置の消費電力の中で大きいウェイトを占めているので、画像表示の際の消費電力を低減することが求められている。
【０００３】
このため、例えば、液晶表示装置を表示部として備える情報処理装置では、操作が行われない状態が一定時間継続したときに、液晶表示装置の表示をＯＦＦにしたり、液晶表示装置のバックライトの光量を落としたりすることにより、消費電力を抑えるようにしたものが一般に普及している。
【０００４】
このように、表示をＯＦＦにしたり、バックライトの光量を落としたりすることにより、液晶表示装置の消費電力を低減した場合には、当然のことながら消費電力を低減している間は、画像を見ることができないことになる。そして、このことに不便を感じるユーザも存在する。
【０００５】
そこで、下記の特許文献１では、２つの表示部を設け、その一方の表示部として、メモリ性を有し、低消費電力で画像を表示することのできるカイラルネマチック型液晶表示素子を適用している。これにより、消費電力を抑えた状態で、一方の表示部に表示された情報のうち、必要な情報をカイラルネマチック型液晶表示素子に画像を表示し続けることができる。
【０００６】
また、下記の特許文献２では、パソコンのサブディスプレイとして、メモリ性を有する反射型の液晶を用いた表示装置を適用している。特許文献２の構成においても、特許文献１の構成と同様に、消費電力を抑えた状態で画像を表示し続けることができる。
【先行技術文献】
【特許文献】
【０００７】
【特許文献１】特開２００４−３４０９９８号公報（２００４年１２月２日公開）
【特許文献２】特開２０００−３３０５２６号公報（２０００年１１月３０日公開）
【発明の概要】
【発明が解決しようとする課題】
【０００８】
このように、低消費電力で画像を表示し続けることのできる表示装置は、有用であり、利便性の高いものであるが、表示装置に表示される画像には、個人情報等のように、他人に見られたくないような情報が含まれている場合も考えられる。このため、常に同じ画像を表示し続けることが好ましいとは限られず、画像表示のＯＮ／ＯＦＦが切り替え可能になっていることが望ましい。
【０００９】
しかしながら、上述のような従来技術では、画像表示のＯＮ／ＯＦＦの切り替えのために、画像の再書き込みが必要になるという問題がある。つまり、上記メモリ性液晶は、表示装置の電源をＯＦＦにしても、ＯＦＦにする前に表示していた画像を継続して表示し続けるものである。このため、一度表示された画像を表示されない状態に切り替えるためには、他の画像の上書き、すなわちメモリ液晶への再書き込みを行う必要がある。
【００１０】
例えば、上記メモリ性液晶に画像を表示した状態で表示装置の電源をＯＦＦにした場合には、画像の書き込みが行われない状態となるので、この画像は、電源をＯＦＦにした後も表示され続ける。そして、この画像を表示させないようにするためには、表示装置の電源をＯＮに切り替えて、上記とは別の画像をメモリ性液晶に書き込む必要がある。
【００１１】
このように、上述のような従来技術では、画像表示のＯＮ／ＯＦＦの切り替えのために、画像の再書き込みが必要になる。また、画像の再書き込みを行うときには、そのための駆動を行うことが必要であり、これに伴う電力消費が発生するため、消費電力が増加するという問題もある。
【００１２】
本発明は、上記の問題点に鑑みてなされたものであり、その目的は、画像を記憶する機能を有する表示装置において、画像の再書き込みを行うことなく、表示のＯＮ／ＯＦＦを切り替えることができる表示装置等を提供することにある。
【課題を解決するための手段】
【００１３】
上記の課題を解決するために、本発明の表示装置は、電位を保持する記憶素子と、該記憶素子が保持する電位が供給されることによって表示を行う表示素子とを含む画素が複数配列してなる記憶素子付表示部を有する表示装置であって、上記記憶素子の保持する電位が上記表示素子に供給される状態と、供給されない状態とを切り替える切替手段を備えていることを特徴としている。
【００１４】
上記の構成によれば、切替手段が、記憶素子の保持する電位が表示素子に供給される状態としたときには、記憶素子付表示部には、記憶素子の保持する電位に応じた画像が表示される。一方、切替手段が、記憶素子の保持する電位が表示素子に供給されない状態としたときには、記憶素子付表示部には、画像が表示されない。つまり、上記の構成によれば、切替手段の切り替えによって、画像が表示される状態と表示されない状態とが切り替えられる。
【００１５】
そして、上記の構成によれば、画像が表示される状態と表示されない状態とが切り替えられたか否かにかかわらず、記憶素子には電位が保持され続けるため、記憶素子に電位を供給し直す必要がない。つまり、上記の構成によれば、画像の再書き込みを行うことなく、表示のＯＮ／ＯＦＦを切り替えることができる。
【００１６】
なお、上記表示装置は、記憶素子に電位を保持することができるので、極めて少ない消費電力で画像を表示させ続けることができる。また、記憶素子に電位を書き込むことによって、表示する画像を切り替えることもできる。
【００１７】
また、上記表示装置は、上記記憶素子付表示部に表示させる画像を記憶する記憶部と、上記記憶部に記憶されている画像を規定する電位を上記記憶素子に保持させる記憶画像表示制御手段とを備えていることが好ましい。
【００１８】
上記の構成によれば、予め記憶部に記憶させた画像を記憶素子付表示部に表示させることができる。これにより、例えば、記憶素子付表示部に表示された画像の一部を記憶部に記憶させておくことにより、この電位を記憶素子に保持させて、上記の画像を消費電力の少ない状態で表示させることができる。
【００１９】
なお、上記記憶部は、不揮発性の記憶部とすることが好ましい。これにより、表示装置への電力の供給が断たれて、記憶素子に保持されていた電位が失われた後にも、記憶部に記憶されている画像を記憶素子付表示部に表示させることができる。
【００２０】
また、上記表示装置は、画像を表示する、上記記憶素子付表示部とは異なる表示部を備え、上記表示部に表示された画像の一部または全部を規定する電位を上記記憶素子に保持させる指定画像表示制御手段を備えていることが好ましい。
【００２１】
上記の構成によれば、記憶素子付表示部以外にも表示部を備え、この表示部に表示された画像の一部または全部を規定する電位を記憶素子に保持させる。
【００２２】
これにより、表示部に表示された画像の一部または全部が、極めて少ない消費電力で画像を表示させ続けることができる記憶素子付表示部に表示される。したがって、表示部に表示された画像のうち、必要な画像だけを消費電力の少ない記憶素子付表示部に表示させ続けることができる。そして、上記のように、この情報の表示のＯＮ／ＯＦＦは、再書き込みを行うことなく切り替えることができる。
【００２３】
また、本発明の情報処理装置は、上記表示装置と、該表示装置を駆動して画像を表示させる表示処理手段とを備えた情報処理装置であって、上記表示処理手段が上記表示装置を駆動するための電力供給を、上記表示装置が画像を表示するための電力供給とは独立に制御する電力供給制御手段を備えていることを特徴としている。
【００２４】
上記の構成によれば、表示処理手段が表示装置を駆動するための電力供給を、表示装置が画像を表示するための電力供給とは独立に制御する。また、表示装置は、上記のように、画像の再書き込みを行うことなく、表示のＯＮ／ＯＦＦを切り替えることができる。
【００２５】
したがって、上記の構成によれば、表示処理手段が表示装置を駆動するための電力供給がなされていない状態としながら、表示装置の表示のＯＮ／ＯＦＦを切り替えることができる。つまり、表示処理手段が表示装置を駆動するための電力供給を停止した消費電力の低い状態を維持しつつ、表示装置の表示のＯＮ／ＯＦＦを切り替えることができる。
【発明の効果】
【００２６】
本発明の表示装置は、電位を保持する記憶素子と、該記憶素子が保持する電位が供給されることによって表示を行う表示素子とを含む画素が複数配列してなる記憶素子付表示部を有する表示装置であって、上記記憶素子の保持する電位が上記表示素子に供給される状態と、供給されない状態とを切り替える切替手段を備えているので、画像の再書き込みを行うことなく、表示のＯＮ／ＯＦＦを切り替えることができるという効果を奏する。
【図面の簡単な説明】
【００２７】
【図１】本発明の一実施形態に係る携帯端末が備える画素メモリ内蔵液晶パネルの構成例を示す回路図である。
【図２】上記携帯端末の動作の概要を示す図である。
【図３】上記携帯端末の状態遷移を説明する図である。
【図４】上記携帯端末の要部構成を示すブロック図である。
【図５】従来の画素メモリ内蔵液晶パネルの構成例を示す回路図である。
【図６】上記画素メモリ内蔵液晶パネルにおける、走査信号線に走査信号が入力されることによって、データ信号線に入力されたデータ信号がデジタルメモリ素子にラッチされたときの、走査信号と、デジタルメモリ素子の出力電圧との関係を示す図である。
【図７】同図（ａ）は、上記画素メモリ内蔵液晶パネルが備えるデジタルメモリ素子の出力電圧と、液晶セルに印加される電圧との関係の一例を示す図であり、同図（ｂ）は、上記画素メモリ内蔵液晶パネルが備えるデジタルメモリ素子の出力電圧と、液晶セルに印加される電圧との関係の他の一例を示す図である。
【図８】上記携帯端末が実行する処理及び携帯端末の状態遷移の一例を示すフローチャートである。
【図９】本発明の他の実施形態に係る携帯端末の動作の概要を示す図である。
【図１０】上記携帯端末の状態遷移を説明する図である。
【図１１】上記携帯端末の要部構成を示すブロック図である。
【図１２】本発明のさらに他の実施形態に係る携帯端末の動作の概要を示す図である。
【図１３】上記携帯端末の要部構成を示すブロック図である。
【図１４】上記携帯端末において、ポインタによってコピー領域を指定する方法を示す図である。
【図１５】上記携帯端末において、コピー領域の画像を画像処理して画素メモリ内蔵液晶パネルに表示させる例を示す図であり、同図（ａ）はコピー領域の画像を回転させて表示させる例を示し、同図（ｂ）はコピー領域の画像を画素メモリ内蔵液晶パネルの形状に合わせて引き伸ばして表示させる例を示している。
【図１６】上記携帯端末において、多点同時検出が可能なタッチパネルにて、２点を指定することによりコピー領域を指定する方法を示す図である。
【図１７】上記携帯端末において、コピー領域を移動させることによって、画素メモリ内蔵液晶パネルにコピーする領域を指定する方法を示す図である。
【図１８】上記携帯端末において、画素メモリ内蔵液晶パネルに対する操作によって、コピー領域を移動させる方法を示す図である。
【図１９】上記携帯端末の変形例に係る携帯端末の外観を示す図であり、同図（ａ）は正面図であり、同図（ｂ）は背面図である。
【図２０】上記携帯端末の状態遷移を示す図である。
【図２１】上記携帯端末が実行する処理及び携帯端末の状態遷移の一例を示すフローチャートである。
【発明を実施するための形態】
【００２８】
〔実施の形態１〕
本発明の実施の一形態について、図１から図８に基づいて説明すれば以下の通りである。
【００２９】
〔携帯端末１の概要〕
まず、本実施形態に係る携帯端末（情報処理装置）１の概要について、図２に基づいて説明する。図２は、携帯端末１の動作の概要を示す図である。携帯端末１は、図示のように、画素メモリ内蔵液晶パネル（表示装置）２と、電源スイッチ３と、表示スイッチ（切替手段）４とを含む構成である。
【００３０】
携帯端末１は、通常モードと、画素メモリ内蔵液晶パネル２以外への通電を停止する省電力モードとの２つの動作モードを有しており、電源スイッチ３を操作することによって、これらの動作モードを切り替えることができるようになっている。
【００３１】
すなわち、図示のように、通常モード（同図上）において電源スイッチ３を押下すると、携帯端末１は、省電力モード（表示）に遷移する（同図中央）。この、省電力モード（表示）では、画素メモリ内蔵液晶パネル２以外への通電が停止されることにより、表示される画像の切り替えは行われなくなるが、画像は画素メモリ内蔵液晶パネル２に表示され続ける。つまり、省電力モード（表示）では、携帯端末１の消費電力を抑えた状態で、画像の提示を行うことができる。
【００３２】
携帯端末１では、省電力モードにおいて、画像表示のＯＮ／ＯＦＦを切り替えることができる点を主な特徴点としている。つまり、図示のように、省電力モード（表示）において表示スイッチ４を押下すると、携帯端末１は、画素メモリ内蔵液晶パネル２に画像が表示されない省電力モード（非表示）に遷移する（同図下）。そして、省電力モード（非表示）において表示スイッチ４を押下すると、携帯端末１は、省電力モード（表示）に戻る。
【００３３】
そして、携帯端末１は、この画像表示ＯＦＦの状態からＯＮの状態への切り替え、つまり省電力モード（非表示）から省電力モード（表示）への切り替えの際に、画像の再書き込みが発生しない構成となっている。
【００３４】
〔状態遷移〕
続いて、携帯端末１の状態遷移について、図３に基づいてより詳細に説明する。図３は、携帯端末１の状態遷移を説明する図である。上述のように、携帯端末１は、通常モードと、省電力モード（表示）と、省電力モード（非表示）との３つの動作モードを有する。また、携帯端末１には、電源が切られた動作停止状態も有する。動作停止状態では、電源がＯＦＦとなっており、表示もＯＦＦとなっている。
【００３５】
図３に示すように、動作停止状態（状態Ａ）から、起動操作（１）を行うことによって、携帯端末１は、通常モード（状態Ｂ）に遷移する。通常モードでは、電源は、ＯＮ１の状態になっている。なお、電源は、ＯＮ１とＯＮ２の２つの状態を有している。
【００３６】
このＯＮ１の状態では、携帯端末１の全体に通電が行われる。これにより、通常モードの携帯端末１では、通話、電子メールの送受信等を行うことができる。また、電源をＯＮ１としたときには、自動的に表示もＯＮの状態となり、これにより、画素メモリ内蔵液晶パネル２には、携帯端末１の動作に合わせた画像が表示される。
【００３７】
ここで、通常モードにおいて、終了操作（１）を行って、電源をＯＦＦとすることにより、携帯端末１は動作停止状態に戻る。また、通常モードにおいて、終了操作（２）を行って、電源をＯＮ２とすることにより、携帯端末１は、省電力モード（表示）（状態Ｃ）に遷移する。
【００３８】
省電力モード（表示）では、電源はＯＮ２の状態になっており、このＯＮ２の状態では、画素メモリ内蔵液晶パネル２のみに通電が行われる。また、省電力モード（表示）では、表示スイッチ４もＯＮの状態となる。
【００３９】
これにより、携帯端末１では画素メモリ内蔵液晶パネル２以外の消費電力をゼロとした状態にて、画素メモリ内蔵液晶パネル２に画像が表示される。また、詳細については後述するが、画素メモリ内蔵液晶パネル２は、一般的な液晶表示パネルと比べて、画像を表示する際の消費電力が極めて低いという特性を有している。このため、省電力モード（表示）では、携帯端末１の全体としての消費電力が極めて低い状態で画像が提示される。
【００４０】
また、通常モードにおいて、終了操作（３）を行って表示をＯＦＦとすることにより、携帯端末１は、省電力モード（非表示）（状態Ｃ’）に遷移する。省電力モード（非表示）では、電源はＯＮ２の状態となり、画素メモリ内蔵液晶パネル２のみに通電が行われる。また、省電力モード（非表示）では、表示がＯＦＦの状態となるので、携帯端末１は省電力モードを維持しながら、画素メモリ内蔵液晶パネル２には、画像が表示されない状態となる。なお、省電力モード（非表示）における消費電力は、省電力モード（表示）のときと同程度である。
【００４１】
そして、省電力モード（表示）において、起動操作（２）を行って、電源をＯＮ１とすることによって、携帯端末１は、通常モードに遷移する。また、終了操作（４）を行って、表示をＯＦＦとすることによって、携帯端末１は、省電力モード（非表示）に遷移する。そして、終了操作（５）を行って、電源及び表示をＯＦＦとすることによって、携帯端末１は、動作停止状態に遷移する。
【００４２】
また、省電力モード（非表示）では、起動操作（３）を行って、表示をＯＮとすることによって、携帯端末１は、省電力モード（表示）に遷移する。また、起動操作（４）を行って、電源をＯＮ１とし、表示をＯＮとすることによって、携帯端末１は、通常モードに遷移する。そして、終了操作（６）を行って、電源及び表示をＯＦＦとすることによって、携帯端末１は、動作停止状態に遷移する。
【００４３】
なお、起動操作（１）〜（４）及び終了操作（１）〜（６）は、電源スイッチ３及び表示スイッチ４に対して行う操作である。具体的には、起動操作（１）及び終了操作（１）（５）（６）は、電源スイッチ３を長押しする操作であり、起動操作（２）（４）及び終了操作（２）（３）は、電源スイッチ３を押下する操作であり、起動操作（３）及び終了操作（４）は、表示スイッチ４を押下する操作である。
【００４４】
つまり、動作停止状態で電源スイッチ３を長押しすることによって、携帯端末１は通常モードで起動し、通常モードで電源スイッチ３を押下することで省電力モード（表示）または（非表示）に遷移する。なお、省電力モード（表示）及び（非表示）の何れに遷移するかは予め設定される。
【００４５】
そして、省電力モード（表示）で表示スイッチ４を押下することによって、携帯端末１は省電力モード（非表示）に遷移し、省電力モード（非表示）で表示スイッチ４を押下することによって省電力モード（表示）に遷移する。また、省電力モード（表示）または（非表示）で電源スイッチ３を押下することによって、携帯端末１は通常モードに戻る。
【００４６】
さらに、通常モード、省電力モード（表示）及び（非表示）の何れの動作モードにおいても、電源スイッチ３を長押しすることによって、携帯端末１は動作停止状態に戻る。なお、起動操作（１）〜（４）及び終了操作（１）〜（６）をどのような操作とするかは、適宜選択可能な事項であり、上記のような操作に限られない。
【００４７】
〔要部構成〕
続いて、携帯端末１の要部構成について、図４に基づいて説明する。図４は、携帯端末１の要部構成を示すブロック図である。図示のように、携帯端末１は、画素メモリ内蔵液晶パネル２、電源スイッチ３、及び表示スイッチ４に加えて、ＷｉＦｉ網通信部１１、プログラムメモリ１２、ワークメモリ１３、ＧＰＳ通信部１４、振動部１５、制御部１６、携帯網通信部１７、音声処理部１８、入力処理部１９、表示処理部２０、電源制御部（電力供給制御手段）２１、スピーカー２２、マイク２３、操作入力部２４、及びバッテリー２５を備えている。また、画素メモリ内蔵液晶パネル２は、表示制御部（記憶画像表示制御手段、指定画像表示制御手段）３１、画素メモリ３２、及び表示部（記憶素子付表示部）３３を備えている。
【００４８】
ＷｉＦｉ網通信部１１は、Ｗｉ−Ｆｉ（登録商標）通信を行うための処理部である。ＷｉＦｉ網通信部１１の機能により、Ｗｉ−Ｆｉ通信でデータの送受信を行うことが可能になる。
【００４９】
プログラムメモリ１２は、制御部１６がプログラムを実行する際に使用するメモリであり、ワークメモリ１３は、制御部１６が動作する際に使用するメモリである。
【００５０】
ＧＰＳ通信部１４は、ＧＰＳ（Global Positioning System）を利用して、携帯端末１の現在地を特定する。そして、ＧＰＳ通信部１４は、制御部１６の要求に従って、携帯端末の現在地を示す位置情報を出力する。
【００５１】
振動部１５は、制御部１６の制御に従って振動を発生させる。これにより、電話、電子メールの着信などがユーザに報知される。
【００５２】
制御部１６は、携帯端末１の動作を統括して制御する。制御部１６は、例えばＣＰＵ（Central Processing Unit）で構成することもできる。
【００５３】
携帯網通信部１７は、携帯通信網に接続して通信するための処理部である。携帯網通信部１７の機能により、携帯通信網を介した通話や電子メールの送受信などを行うことが可能になる。
【００５４】
音声処理部１８は、制御部１６の指示に従って、スピーカー２２に音声を出力させる。また、入力処理部１９は、操作入力部２４が受け付けたユーザの操作の内容を制御部１６に送信する。そして、表示処理部２０は、制御部１６の指示に従って、画素メモリ内蔵液晶パネル２に画像を表示させる。
【００５５】
電源制御部２１は、画素メモリ内蔵液晶パネル２が画像を表示するための電力供給と、携帯端末１のその他の構成要素（同図において破線で囲んだ部分）に対する電力供給とを独立に制御する。なお、上記その他の構成要素によって、画素メモリ内蔵液晶パネル２は駆動されて画像を表示するので、これらの構成要素に対する電力供給は、画素メモリ内蔵液晶パネル２の駆動のための電力供給と言える。
【００５６】
具体的には、電源制御部２１は、携帯端末１が通常モードで動作する（電源がＯＮ１のとき）には、画素メモリ内蔵液晶パネル２及びその他の部分の両方、つまり携帯端末１の全体にバッテリー２５からの電力を供給し、これにより携帯端末１は通常モードとなる。一方、省電力モード（表示）または（非表示）で動作するとき（電源がＯＮ２のとき）には、画素メモリ内蔵液晶パネル２のみにバッテリー２５からの電力を供給し、これにより携帯端末１は省電力モード（表示）または（非表示）となる。
【００５７】
なお、省電力モード（表示）または（非表示）では、画素メモリ内蔵液晶パネル２以外の構成についても電力を供給してもよい。例えば、省電力モード（表示）または（非表示）においても、電話や電子メール等の着信を受け付けたい場合には、制御部１６及び携帯網通信部１７に対しても電力を供給すればよい。なお、省電力モード（表示）または（非表示）においては、画像の再書き込みが行われることはないので、表示処理部２０には電力を供給する必要はない。つまり、省電力モード（表示）または（非表示）では、少なくとも表示処理部２０への電力供給を停止すればよい。
【００５８】
スピーカー２２は、音声を出力するものであり、マイク２３は、携帯端末１に音声を入力するためのものである。スピーカー２２及びマイク２３は、携帯端末１で音声通話を行うときや、電話の着信や電子メールの受信等をユーザに通知するときに用いられる。
【００５９】
操作入力部２４は、ユーザの入力操作を受け付けるものであり、例えば入力キー等で構成してもよいし、画素メモリ内蔵液晶パネル２に対するユーザの入力操作を検出するタッチパネル等で構成してもよい。
【００６０】
バッテリー２５は、電源制御部２１の制御に従って、携帯端末１の各部に電力を供給する。
【００６１】
画素メモリ内蔵液晶パネル２が備える表示制御部３１は、表示処理部２０の指示に従って表示部３３に画像を表示させる。具体的には、表示制御部３１は、電源制御部２１から電力の供給を受けている状態において、表示処理部２０から表示の指示を受けた画像を規定する電位を各画素の画素メモリ３２に保持させる。なお、これについては後に回路図を用いて詳しく説明する。
【００６２】
画素メモリ３２は、表示部３３を構成する各画素に設けられており、表示制御部３１から供給された電位を保持する。また、画素メモリ３２は、保持している電位を各画素の表示素子に供給し、これにより画素メモリ３２が保持している電位に応じた画像が表示部３３に表示される。
【００６３】
表示部３３は、画素メモリ３２と表示素子とを含む画素が複数配列してなり、上記のように、画素メモリ３２に保持されている画像を表示する。
【００６４】
〔一般的な画素メモリ内蔵液晶パネル１６１の構成〕
ここで、携帯端末１の画素メモリ内蔵液晶パネル２は、画像の書き込みを行うことなく表示のＯＮ／ＯＦＦの切り替えを行うことができるようにするために、一般的な画素メモリ内蔵液晶パネルに改良を加えたものである。そこで、ここでは、一般的な画素メモリ内蔵液晶パネル１６１について、図５から図７に基づいて説明する。
【００６５】
画素メモリ内蔵液晶パネル１６１は、画素毎に設けられたデジタルメモリ素子の出力電圧を保持することによって、データ信号線および走査信号線への信号を停止しても、画像を表示し続けることができる液晶パネルである。
【００６６】
図５を参照しながら、画素メモリ内蔵液晶パネル１６１の構成例について説明する。図５は、画素メモリ内蔵液晶パネル１６１の構成例を示す回路図である。
【００６７】
画素メモリ内蔵液晶パネル１６１は、同図に示すように、画素毎に、画素部スイッチ素子（ＭＯＳ  ＦＥＴ）６１１と、デジタルメモリ素子（インバータ回路）６１２および６１３と、液晶セル（表示素子）６１４と、付加回路（エクスクルーシブＮＯＲ回路）６１５とを備えている。なお、デジタルメモリ素子６１２および６１３を総称して、デジタルメモリ素子（記憶素子）６１８と称する。
【００６８】
さらに、画素メモリ内蔵液晶パネル１６１は、同図に示すように、各画素の液晶セル６１４を交流で駆動させるための交流駆動用クロック６１６および共通電極端子（ＣＯＭ）６１７を備えている。
【００６９】
そして、画素部スイッチ素子６１１のゲート端子は、走査信号線ｘｉ（ｉ＝１、２、…、ｎ；ｎは正の整数を示す）に接続されており、また、画素部スイッチ素子６１１のソース端子は、データ信号線ｙｉ（ｉ＝１、２、…、ｍ；ｍは正の整数を示す）に接続されている。
【００７０】
上記構成により、走査信号線ｘｉに走査信号が入力されることによって、データ信号線ｙｉに入力されるデータ信号が、デジタルメモリ素子６１８にラッチされるとともに、該ラッチされたデータ信号（画素値）が、付加回路６１５を介して、液晶セル６１４に書き込まれる。
【００７１】
そして、デジタルメモリ素子６１８へ入力される信号が変化しない間は、デジタルメモリ素子６１８の出力電圧は、前の状態を保持するようになっている。したがって、データ信号線ｙｉおよび走査信号線ｘｉへの信号の入力を停止しても、デジタルメモリ素子６１８の出力電圧は保持されるので、画素メモリ内蔵液晶パネル１６１は、画像を表示し続けることができる。
【００７２】
なお、画素メモリ内蔵液晶パネル１６１は、走査信号を入力する走査信号線を指定することによって、該指定した走査信号線が接続している画素群にのみ、画像を表示させることも可能であるし、また、データ信号を入力するデータ信号線を指定することによって、該指定したデータ信号線が接続している画素群にのみ、画像を表示させることも可能である。
【００７３】
次に、図６を参照しながら、走査信号線ｘｉに走査信号が入力されることによって、データ信号線ｙｉに入力されたデータ信号がデジタルメモリ素子６１８にラッチされたときの、走査信号とデジタルメモリ素子６１８の出力電圧ＥＰ１との関係について説明する。
【００７４】
図６は、走査信号線ｘｉに走査信号が入力されることによって、データ信号線ｙｉに入力されたデータ信号がデジタルメモリ素子６１８にラッチされたときの、走査信号と、デジタルメモリ素子６１８の出力電圧ＥＰ１との関係を示す図である。
【００７５】
データ信号線ｙｉにＨｉｇｈレベル（Ｖ）のデータ信号が入力されている状態において、走査信号線ｘｉにＬｏｗレベル（０）の走査信号が入力されると、デジタルメモリ素子６１８の出力電圧がＨｉｇｈレベルとなる。そして、走査信号がＨｉｇｈレベルに変化するタイミングで、デジタルメモリ素子６１８の出力電圧はＨｉｇｈレベルに固定される。そして、次に走査信号がＬｏｗレベルになるまで、デジタルメモリ素子６１８の出力電圧は保持される。
【００７６】
このように、デジタルメモリ素子６１８は、走査信号線ｘｉの走査信号がＬｏｗレベルになるまで、前の出力電圧を保持する。
【００７７】
次に、図７（ａ）および（ｂ）を参照しながら、デジタルメモリ素子６１８の出力電圧と、液晶セル６１４に印加される電圧との関係について説明する。図７（ａ）および（ｂ）は、いずれも、デジタルメモリ素子６１８の出力電圧と、液晶セル６１４に印加される電圧との関係の一例を示す図である。
【００７８】
デジタルメモリ素子の出力電圧がＨｉｇｈレベルのとき，交流駆動用クロック６１６の出力電圧ＥＰ２に対して、反転した出力電圧ＥＰ３が、付加回路６１５の出力電圧として得られる。したがって、液晶セル６１４には、交流駆動用クロック６１６の出力電圧ＥＰ２と付加回路６１５の出力電圧ＥＰ３との差分である電圧ＥＰ４が印加される（図７（ａ）参照）。
【００７９】
一方、デジタルメモリ素子６１８の出力がＬｏｗレベルのとき，交流駆動用クロック６１６の出力電圧ＥＰ２と同相の電圧ＥＰ５が、付加回路６１５の出力電圧として得られる。この場合、交流駆動用クロック６１６の出力電圧ＥＰ２と付加回路６１５の出力電圧ＥＰ５との差分であるＥＰ６は、常にＬｏｗレベルとなる（図７（ｂ）参照）。したがって、液晶セル６１４には、電圧が印加されない。
【００８０】
以上のように、画素メモリ内蔵液晶パネル１６１では、データを静止画像として継続して表示する場合、画素部スイッチ素子６１１、並びに、デジタルメモリ素子６１８をスイッチングさせる必要がない。そのため、画素メモリ内蔵液晶パネル１６１では、低消費電力化を実現することができる。
【００８１】
〔携帯端末１が備える画素メモリ内蔵液晶パネル２の構成〕
次に、携帯端末１が備える画素メモリ内蔵液晶パネル２の構成について、図１に基づいて説明する。図１は、画素メモリ内蔵液晶パネル２の構成例を示す回路図である。なお、上述の画素メモリ内蔵液晶パネル１６１と同様の構成については同一の参照番号を付し、その説明を省略する。
【００８２】
ここで、まず、図１と図４との関係について説明する。図４の表示制御部３１に対応する構成は、図１には記載していないが、表示制御部３１は、走査信号線ｘｉに走査信号を入力し、データ信号線ｙｉにデータ信号を入力する。つまり、表示制御部３１は、表示処理部２０から表示の指示を受けた画像に応じて、各画素にデータ信号を入力する。そして、これにより、表示処理部２０から表示の指示を受けた画像が表示されることになる。
【００８３】
また、図４の画素メモリ３２は、図１のデジタルメモリ素子６１８に対応している。そして、図４の表示部３３は、図１の液晶セル６１４に対応している。つまり、「画素メモリ３２に電位を保持させる」とは、デジタルメモリ素子６１８にデータ信号をラッチさせることを指す。そして、「画素メモリ３２の電位が表示素子に供給される」とは、デジタルメモリ素子６１８の出力電圧が液晶セル６１４に印加されることを指す。
【００８４】
続いて、画素メモリ内蔵液晶パネル２の構成について説明する。図示のように、画素メモリ内蔵液晶パネル２は、図５に示した画素メモリ内蔵液晶パネル１６１と比べて、各画素にＡＮＤ回路６２２が設けられている点、及び表示スイッチ４が接続されている点で異なっている。
【００８５】
ＡＮＤ回路６２２は、デジタルメモリ素子６１８及び表示スイッチ４と、付加回路６１５との間に設けられている。また、同図には示していないが、表示スイッチ４は、電源制御部２１から表示制御部３１へ供給される電源に接続されている。このため、表示スイッチ４がＯＮの状態では、ＡＮＤ回路６２２の一端にこの電源が接続された状態となる。
【００８６】
つまり、ＡＮＤ回路６２２は、表示スイッチ４がＯＮの状態において、デジタルメモリ素子６１８及び電源からの入力を受けて、付加回路６１５に出力するように接続されている。これにより、表示スイッチ４がＯＮの状態では、表示スイッチ４からＡＮＤ回路６２２への入力が常にＨｉｇｈレベルとなり、デジタルメモリ素子６１８からＡＮＤ回路６２２への入力と、ＡＮＤ回路６２２から付加回路６１５への出力とは常に同じになる。つまり、表示スイッチ４がＯＮの状態では、デジタルメモリ素子６１８に記憶された画像が表示される。
【００８７】
また、ＡＮＤ回路６２２と表示スイッチ４とを結ぶ配線は、途中で分岐して接地されており、これにより、表示スイッチ４がＯＦＦの状態では、ＡＮＤ回路６２２の一端が接地される。このため、表示スイッチ４がＯＦＦの状態では、ＡＮＤ回路６２２から付加回路６１５への出力は常にＬｏｗレベルとなる。このため、表示スイッチ４がＯＦＦの状態では、デジタルメモリ素子６１８に記憶された画像が表示されない。
【００８８】
このように、画素メモリ内蔵液晶パネル２は、表示のＯＮ／ＯＦＦを切り替える切替手段として、ＡＮＤ回路６２２及び表示スイッチ４を設けている。そして、これにより、デジタルメモリ素子６１８への画像の書き込みを行うことなく、表示のＯＮ／ＯＦＦを切り替えることができる。
【００８９】
なお、表示のＯＮ／ＯＦＦを切り替える切替手段はこの例に限られず、デジタルメモリ素子６１８から液晶セル６１４へ電圧が印加される状態と、印加されない状態とを切り替えることができるものであれば任意のものを適用することができる。
【００９０】
〔処理の流れ〕
次に、携帯端末１が実行する処理の流れについて、図８に基づいて説明する。図８は、携帯端末１が実行する処理及び携帯端末１の状態遷移の一例を示すフローチャートである。より具体的には、携帯端末１に、現在地から目的地までの地図を表示させる場合の処理及び状態遷移を説明する。なお、図８のフローチャートは、携帯端末１が動作停止状態（図３の状態Ａ）から開始している。
【００９１】
電源スイッチ３及び表示スイッチ４がＯＦＦとなっている動作停止状態において、電源がＯＮ１（画素メモリ内蔵液晶パネル２を含む携帯端末１の全体に電力が供給される状態。図３参照。）に切り替えられたときには、携帯端末１が起動する（Ｓ１）。この処理は、図３の起動操作（１）に対応している。つまり、Ｓ１では、携帯端末１の全体が起動状態となり、画素メモリ内蔵液晶パネル２の表示もＯＮとなる通常モード（状態Ｂ）への遷移が行われ、この後携帯端末１は、通常モードで動作する（Ｓ２）。
【００９２】
具体的には、電源スイッチ３を押下する操作が行われると、電源制御部２１がこれを検知する。そして、電源制御部２１は、画素メモリ内蔵液晶パネル２を含む携帯端末１の全体にバッテリー２６からの電力が供給されるように制御し、これにより携帯端末１が起動する。また、画素メモリ内蔵液晶パネル２への電力供給が開始されることにより、画像の表示も開始される。
【００９３】
そして、ここでは、通常モードにおいて、ユーザが、操作入力部２４から入力操作を行って、地図表示アプリケーション（以下、地図表示アプリと言う）を実行することを想定している。なお、地図表示アプリは、予め携帯端末１にインストールされたアプリケーションプログラムであり、制御部１６によって実行される。
【００９４】
地図表示アプリは、まず、表示処理部２０に指示して、ユーザに目的地の入力を促す画像を画素メモリ内蔵液晶パネル２に表示させ、この表示に従ってユーザが入力した目的地の位置を特定する。また、地図表示アプリは、ＧＰＳ通信部１４から携帯端末１の現在地を取得する。そして、地図表示アプリは、目的地の位置と現在地とを含む地図画像を、携帯網通信部１７またはＷｉＦｉ網通信部１１を介して取得し、表示処理部２０に指示して、取得した地図画像を画素メモリ内蔵液晶パネル２に表示させる（Ｓ３）。
【００９５】
そして、地図表示アプリは、携帯端末１を省電力モードに移行させる（Ｓ４）。具体的には、地図表示アプリは、電源制御部２１に指示して、画素メモリ内蔵液晶パネル２以外への電力供給を停止させる。これにより、携帯端末１は、省電力モード（表示）（図３の状態Ｃ）となる。つまり、Ｓ４の処理は、図３の終了操作（２）が行われたときの処理に対応している。このように、電源スイッチ３を操作する以外にも、制御部１６の制御によって動作モードの遷移を行うことも可能である。
【００９６】
なお、省電力モード（表示）に移行するか否かは、ユーザが選択できるようにしてもよい。この場合には、例えば、画素メモリ内蔵液晶パネル２に省電力モード（表示）への移行の可否をユーザに選択させるメニュー画面を表示して、省電力モード（表示）への移行の可否をユーザに選択させてもよい。
【００９７】
省電力モード（表示）では、画素メモリ内蔵液晶パネル２以外への電力供給が停止され、また画素メモリ内蔵液晶パネル２の表示も切り替えられないため、携帯端末１の消費電力は極めて低い状態（例えば数ｍＷ）となる。つまり、省電力モード（表示）では、目的地までの地図を常時表示させながらも、携帯端末１の消費電力を極めて低い状態とすることができる。
【００９８】
ここで、図３に示したように、省電力モード（表示）からは、省電力モード（非表示）、通常モード、及び動作停止状態の何れかへの遷移が可能である。つまり、省電力モード（表示）の携帯端末１では、表示スイッチ４をＯＦＦに切り替える操作（終了操作（４））、電源をＯＦＦに切り替える操作（終了操作（５））、または電源をＯＮ１に切り替える操作（起動操作（２））を行うことが可能である（Ｓ５〜Ｓ７）。
【００９９】
このうち、電源をＯＦＦに切り替える操作が行われたことを検知した場合（Ｓ６でＹＥＳ）には、電源制御部２１は、バッテリー２５から画素メモリ内蔵液晶パネル２への電力供給も停止する。これにより、携帯端末１は、電力が全く供給されない動作停止状態となり（Ｓ８）、携帯端末１における処理は終了する。
【０１００】
また、電源をＯＮ１に切り替える操作（例えば、電源スイッチ３を押下する操作）が行われたことを検知した場合（Ｓ７でＹＥＳ）には、電源制御部２１は、画素メモリ内蔵液晶パネル２を含む携帯端末１の全体にバッテリー２５からの電力を供給する。これにより、携帯端末１は、通常モードに遷移し（Ｓ９）、以後、通常モードで動作する（Ｓ２）。
【０１０１】
ここで、一度、通常モードにおいて地図表示アプリが起動された後、省電力モード（表示または非表示）を経て再度通常モードとなったときには、地図表示アプリを自動的に起動するようにしてもよい。そして、この場合には、地図表示アプリは、携帯端末１の現在地から、ユーザが先に入力した目的地までの地図を取得して表示することが好ましい。これにより、携帯端末１が省電力モード（表示）または（非表示）となった後、そのユーザが移動したときに、移動後の場所から目的地までの地図を表示させることができる。また、ユーザが地図表示を終了したい場合も考えられるので、地図表示を続けるか終了するかを、ユーザに選択させるようにしてもよい。
【０１０２】
一方、省電力モード（表示）において、表示をＯＦＦに切り替える操作が行われた場合（Ｓ５でＹＥＳ）には、図１に示したように、画素メモリ内蔵液晶パネル２において、ＡＮＤ回路６２２への入力の一方が常にＬｏｗレベルとなり、これにより該ＡＮＤ回路６２２からの出力電圧も常にＬｏｗレベルとなる。このため、携帯端末１は、画素メモリ内蔵液晶パネル２に電力が供給された状態であるが、画像は表示されない省電力モード（非表示）に遷移する（Ｓ１０）。
【０１０３】
省電力モード（非表示）からは、図３に示したように、省電力モード（表示）、通常モード、及び動作停止状態の何れかへの遷移が可能である。つまり、省電力モード（非表示）の携帯端末１では、表示スイッチ４をＯＮに切り替える操作（起動操作（３））、電源をＯＦＦに切り替える操作（終了操作（６））、または電源をＯＮ１に切り替える操作（起動操作（４））を行うことが可能である（Ｓ１１〜Ｓ１３）。
【０１０４】
このうち、表示スイッチ４をＯＮに切り替える操作が行われた場合（Ｓ１１でＹＥＳ）には、図７に示したように、画素メモリ内蔵液晶パネル２において、ＡＮＤ回路６２２に対する表示スイッチ４からの入力がＨｉｇｈレベルとなり、これにより該ＡＮＤ回路６２２からの出力は、デジタルメモリ素子６１８からの出力と同じになる。このため、携帯端末１は、画素メモリ内蔵液晶パネル２に、デジタルメモリ素子６１８に保持された画像情報に基づく画像が表示される省電力モード（表示）に遷移する（Ｓ４）。
【０１０５】
また、電源をＯＦＦに切り替える操作（例えば、電源スイッチ３を長押しする操作）が行われたことを検知した場合（Ｓ１２でＹＥＳ）には、電源制御部２１は、バッテリー２５から画素メモリ内蔵液晶パネル２への電力供給も停止する。これにより、携帯端末１は、電力が全く供給されない動作停止状態となり（Ｓ８）、携帯端末１における処理は終了する。
【０１０６】
そして、電源をＯＮ１に切り替える操作（例えば、電源スイッチ３を押下する操作）が行われたことを検知した場合（Ｓ１３でＹＥＳ）には、電源制御部２１は、画素メモリ内蔵液晶パネル２を含む携帯端末１の全体にバッテリー２５からの電力を供給する。これにより、携帯端末１は、通常モードに遷移し（Ｓ９）、以後、通常モードで動作する（Ｓ２）。
【０１０７】
〔動作例〕
上記では、携帯端末１に地図画像を表示させる例について説明したが、携帯端末１は、例えば料理のレシピを表示させて料理をするときにも便利である。すなわち、ユーザは、まず、携帯端末１の電源スイッチ３を操作して、携帯端末１を通常モード（電源がＯＮ１、表示がＯＮの状態）で起動する。
【０１０８】
通常モードでは、ユーザは、所望の料理のレシピ情報を取得して、画素メモリ内蔵液晶パネル２に表示させる。なお、通常モードでは、携帯網通信部１７等の通信手段が動作するので、ユーザは、インターネット検索等によって、レシピ情報を入手することもできる。
【０１０９】
そして、ユーザは、入手したレシピ情報を画素メモリ内蔵液晶パネル２に表示させた状態で、電源スイッチ３を操作して、携帯端末１を電源がＯＮ２の状態、すなわち省電力モード（表示）に遷移させる。これにより、携帯端末１の消費電力が低い状態となるが、画素メモリ内蔵液晶パネル２は、レシピ情報が表示された状態が維持される。したがって、ユーザは、レシピ情報をいつでも再確認することができる。
【０１１０】
また、レシピ情報を取得した後、すぐに料理に取り掛からないような場合も想定される。このような場合には、ユーザは、電源スイッチ３を操作して、携帯端末１を省電力モード（非表示）に遷移させる。これにより、携帯端末１はレシピ情報が表示されない状態となり、他の人にレシピ情報を見られることがなくなる。
【０１１１】
そして、ユーザは、料理をするときに、電源スイッチ３を操作して、携帯端末１を省電力モード（表示）に遷移させる。これにより、ユーザは、携帯端末１の画素メモリ内蔵液晶パネル２以外の構成については起動させることなく、レシピ情報を確認することができる。なお、レシピ情報が必要なくなった場合には、電源スイッチ３を操作して、携帯端末１を動作停止状態に遷移させればよい。
【０１１２】
また、携帯端末１は、例えば商品情報を表示させて買い物をするときにも便利である。すなわち、ユーザは、まず、携帯端末１の電源スイッチ３を操作して、携帯端末１を通常モードで起動する。
【０１１３】
通常モードでは、ユーザは、所望の商品情報を取得して画素メモリ内蔵液晶パネル２に表示させる。なお、通常モードでは、携帯網通信部１７等の通信手段が動作するので、ユーザは、インターネット検索等によって、買いたい商品の商品情報を入手することもできる。商品情報としては、例えば商品の写真、価格、寸法等を示す画像が挙げられる。
【０１１４】
そして、ユーザは、入手した商品情報を画素メモリ内蔵液晶パネル２に表示させた状態で、電源スイッチ３を操作して、携帯端末１を省電力モード（表示）に遷移させる。これにより、携帯端末１の消費電力が低い状態となるが、画素メモリ内蔵液晶パネル２は、商品情報が表示された状態が維持される。したがって、ユーザは、商品情報をいつでも再確認することができ、またこの商品情報を店員に提示することによって、自分が欲しい商品を正確に店員に伝えることができる。
【０１１５】
また、商品情報を取得した後、すぐにその商品を購入しないような場合も想定される。このような場合には、ユーザは、電源スイッチ３を操作して、携帯端末１を省電力モード（非表示）に遷移させる。これにより、携帯端末１は商品情報が表示されない状態となり、他の人に商品情報を見られることがなくなる。
【０１１６】
そして、ユーザは、買い物に行ったときに、電源スイッチ３を操作して、携帯端末１を省電力モード（表示）に遷移させる。これにより、ユーザは、携帯端末１の画素メモリ内蔵液晶パネル２以外の構成については起動させることなく、商品情報を確認したり、店員に提示したりすることができる。なお、商品情報が必要なくなった場合には、電源スイッチ３を操作して、携帯端末１を動作停止状態に遷移させればよい。
【０１１７】
〔実施の形態２〕
本発明の他の実施形態について、図９から図１１に基づいて説明すれば以下の通りである。なお、上記実施形態と同様の構成については同一の参照番号を付し、その説明を省略する。
【０１１８】
〔携帯端末５０の概要〕
まず、本実施形態に係る携帯端末（情報処理装置）５０の概要について、図９に基づいて説明する。図９は、携帯端末５０の動作の概要を示す図である。携帯端末５０は、上記実施形態に示した携帯端末１と同様に、画素メモリ内蔵液晶パネル２と、電源スイッチ３と、表示スイッチ４とを含む構成である。
【０１１９】
携帯端末５０は、携帯端末１と比べて、通常モードで表示していた画像を記憶する機能を備えている点で異なっている。この機能により、携帯端末５０は、通常モードから動作停止状態に遷移した後、省電力モード（表示）に遷移したときに、通常モードで表示していた画像を表示することができる。
【０１２０】
すなわち、図示のように、通常モード（同図上）において電源スイッチ３を操作して携帯端末１を動作停止状態（同図中央）に遷移させた後、電源スイッチ３を操作して省電力モード（表示）（同図下）に遷移させたときには、通常モードで表示していた画像が画素メモリ内蔵液晶パネル２に表示される。
【０１２１】
このように、携帯端末５０は、一旦、電力を消費しない動作停止状態に遷移した後であっても、省電力モード（表示）に遷移したときに、通常モードで表示していた画像を表示することができる点を主な特徴点としている。
【０１２２】
〔状態遷移〕
続いて、携帯端末５０の状態遷移について、図１０に基づいてより詳細に説明する。図１０は、携帯端末５０の状態遷移を説明する図である。携帯端末５０は、携帯端末１と同様に、通常モードと、省電力モード（表示）と、省電力モード（非表示）と、動作停止状態との４つの状態間で遷移する。
【０１２３】
図示のように、携帯端末５０の状態遷移は、図３に示した携帯端末１の状態遷移と概ね同様である。しかしながら、携帯端末５０は、通常モードでコピー操作を行うことにより、表示していた画像情報を不揮発性メモリにコピーすることができるため、動作停止状態で起動操作（５）を行うことにより、省電力モード（表示）に遷移することが可能になっている点で異なっている。
【０１２４】
つまり、携帯端末１では、画素メモリ内蔵液晶パネル２への電力供給が停止すると、デジタルメモリ素子６１８に記憶された画像情報が失われるため、動作停止状態から直接省電力モード（表示）に遷移することはできなかった。これに対し、携帯端末５０では、不揮発性メモリに画像情報を記憶し、画素メモリ内蔵液晶パネル２に電力供給が再開されたときに、この画像情報に基づいて表示を行うことができ、これにより、動作停止状態から直接省電力モード（表示）に遷移することを可能にしている。
【０１２５】
なお、通常モードから省電力モード（表示）に遷移した場合に表示させる画像は、通常モードにおいて最後に表示された画像、つまりデジタルメモリ素子６１８に保持されている画像であってもよいし、不揮発性メモリに記憶されている画像であってもよい。不揮発性メモリに記憶されている画像を表示させるときには、この画像をデジタルメモリ素子６１８に保持させればよい。
【０１２６】
〔要部構成〕
続いて、携帯端末５０の要部構成について、図１１に基づいて説明する。図１１は、携帯端末５０の要部構成を示すブロック図である。携帯端末５０は、携帯端末１と比べて、画素メモリ内蔵液晶パネル２内に不揮発性メモリ（記憶部）３４が設けられている点が異なっている。
【０１２７】
不揮発性メモリ３４は、画素メモリ内蔵液晶パネル２に表示させる画像を格納する不揮発性のメモリである。
【０１２８】
制御部１６は、通常モードにおいて、画素メモリ内蔵液晶パネル２に表示させている画像のうち、不揮発性メモリ３４に記憶させる画像の指定を、操作入力部２４を介して受け付ける。そして、制御部１６は、指定された部分の画像を、不揮発性メモリ３４に記憶する。
【０１２９】
また、制御部１６は、動作停止状態から、省電力モード（表示）に切り替えられたときには、表示処理部２０に指示して、画素メモリ内蔵液晶パネル２に、不揮発性メモリ３４に記憶されている画像情報に基づく画像を表示させる。
【０１３０】
〔動作例〕
以上のように、携帯端末５０は、通常モードにおいて表示されている画像を不揮発性メモリ３４に記憶する。そして、動作停止状態から、省電力モード（表示）に切り替えられたときには、不揮発性メモリ３４に記憶された画像を表示する。
【０１３１】
これにより、画像表示を継続する必要がないときには、携帯端末５０を動作停止状態として電力を消費しないようにしつつ、その後、携帯端末５０の全体を起動することなく、省電力モード（表示）に切り替えることで画像表示を再開することができる。
【０１３２】
この機能は、例えば携帯端末５０に料理のレシピを表示させて料理をする場合にも便利である。すなわち、ユーザは、まず、携帯端末５０の電源スイッチ３を操作して、携帯端末５０を通常モードで起動する。
【０１３３】
通常モードでは、ユーザは、所望のレシピ情報を取得して画素メモリ内蔵液晶パネル２に表示させる。そして、ユーザは、入手したレシピ情報を画素メモリ内蔵液晶パネル２に表示させた状態で、操作入力部２４を操作して、このレシピ情報を不揮発性メモリ３４に記憶させる。
【０１３４】
この後、ユーザは、電源スイッチ３を操作して、携帯端末５０を省電力モード（表示）に遷移させる。これにより、携帯端末５０の消費電力が低い状態となるが、画素メモリ内蔵液晶パネル２は、レシピ情報が表示された状態が維持される。したがって、ユーザは、レシピ情報をいつでも再確認することができる。
【０１３５】
また、レシピ情報を取得した後、すぐに料理に取り掛からないような場合も想定される。このような場合には、ユーザは、電源スイッチ３を操作して、携帯端末５０を動作停止状態に遷移させる。これにより、携帯端末５０は電力を消費しない状態となる。
【０１３６】
そして、ユーザは、料理をするときに、電源スイッチ３を操作して、携帯端末５０を省電力モード（表示）に遷移させる。これにより、ユーザは、携帯端末５０の画素メモリ内蔵液晶パネル２以外の構成については起動させることなく、レシピ情報を確認することができる。なお、レシピ情報が必要なくなった場合には、電源スイッチ３を操作して、携帯端末５０を動作停止状態に遷移させればよい。
【０１３７】
また、この機能は、例えば携帯端末５０に商品情報を表示させて買い物をする場合にも便利である。すなわち、ユーザは、まず、携帯端末５０の電源スイッチ３を操作して、携帯端末５０を通常モードで起動する。
【０１３８】
通常モードでは、ユーザは、所望の商品の商品情報を取得して画素メモリ内蔵液晶パネル２に表示させる。そして、ユーザは、入手した商品情報を画素メモリ内蔵液晶パネル２に表示させた状態で、操作入力部２４を操作して、この商品情報を不揮発性メモリ３４に記憶させる。
【０１３９】
この後、ユーザは、電源スイッチ３を操作して、携帯端末５０を省電力モード（表示）に遷移させる。これにより、携帯端末５０の消費電力が低い状態となるが、画素メモリ内蔵液晶パネル２は、商品情報が表示された状態が維持される。したがって、ユーザは、商品情報をいつでも再確認することができ、またこの商品情報を店員に提示することによって、自分が欲しい商品を正確に店員に伝えることができる。
【０１４０】
また、商品情報を取得した後、すぐにその商品を購入しないような場合も想定される。このような場合には、ユーザは、電源スイッチ３を操作して、携帯端末５０を動作停止状態に遷移させる。これにより、携帯端末５０は電力を消費しない状態となる。
【０１４１】
そして、ユーザは、買い物に行ったときに、電源スイッチ３を操作して、携帯端末５０をすなわち省電力モード（表示）に遷移させる。これにより、ユーザは、携帯端末５０の画素メモリ内蔵液晶パネル２以外の構成については起動させることなく、商品情報を確認したり、店員に提示したりすることができる。そして、商品情報が必要なくなった場合には、電源スイッチ３を操作して、携帯端末５０を動作停止状態に遷移させればよい。
【０１４２】
なお、携帯端末５０では、動作停止状態から起動したときにも記憶させた画像が失われないようにするため、不揮発性メモリ３４を適用している。しかしながら、動作停止状態から起動したときに、過去に記憶した画像を表示させる必要がないときには、揮発性のメモリを適用してもよい。
【０１４３】
この場合には、不揮発性及び揮発性の何れのメモリも備えていない場合と比べて、通常モードにおいて揮発性のメモリに記憶させた任意の画像を、省電力モード（表示）に切り替えたときに表示させることができるという利点がある。例えば、通常モードにおいて、必要な情報を含む画像を揮発性のメモリに記憶させておけば、その後通常モードにおいて別の画像を表示させた場合であっても、省電力モード（表示）に切り替えたときに、必要な情報を含む画像を表示させることができる。
【０１４４】
〔実施の形態３〕
本発明のさらに他の実施形態について、図１２から図１８に基づいて説明すれば以下の通りである。なお、上記実施形態と同様の構成については同一の参照番号を付し、その説明を省略する。
【０１４５】
〔携帯端末１００の概要〕
まず、本実施形態に係る携帯端末（情報処理装置）１００の概要について、図１２に基づいて説明する。図１２は、携帯端末１００の動作の概要を示す図である。携帯端末１００は、上記実施形態に示した携帯端末１及び携帯端末５０と同様に、画素メモリ内蔵液晶パネル２と、電源スイッチ３と、表示スイッチ４とを含む。また、携帯端末１００は、上記の構成に加えて主表示部（表示部）５を備えている。
【０１４６】
このように、携帯端末１００は、携帯端末１及び携帯端末５０と比べて、主表示部５を備え、画素メモリ内蔵液晶パネル２が副表示部として使用される点で異なっている。そして、携帯端末１００は、携帯端末５０と同様に、通常モードで表示していた画像を記憶する機能を有している。
【０１４７】
また、携帯端末１００では、通常モードにおいて主表示部５に表示されている画像の一部または全部を指定することができるようになっている。指定された画像は、画素メモリ内蔵液晶パネル２に表示されると共に記憶され、省電力モード（表示）に遷移したときには、主表示部５の表示は消えて、記憶された画像が画素メモリ内蔵液晶パネル２に表示される。
【０１４８】
すなわち、携帯端末１００は、通常モードにおいて、主表示部５に表示された画像の一部または全部が、コピー領域として指定されると、指定されたコピー領域の画像を、画素メモリ内蔵液晶パネル２にコピーする。これにより、同図の上及び中央に示すように、コピー領域（破線で囲まれた領域）の画像が、画素メモリ内蔵液晶パネル２にも表示される。また、コピー領域の画像は、不揮発性メモリに記憶される。
【０１４９】
そして、電源スイッチ３を操作して、携帯端末１００を省電力モード（表示）に遷移させたときには、同図の下に示すように、主表示部５は非表示状態となるが、画素メモリ内蔵液晶パネル２に表示させたコピー領域の画像は、そのまま表示され続ける。
【０１５０】
つまり、携帯端末１００は、主表示部５に表示された画像のうち、必要な部分だけを画素メモリ内蔵液晶パネル２に表示させることができ、主表示部５を非表示とした低消費電力状態で、その必要な部分を画素メモリ内蔵液晶パネル２で提示することができる。これにより、ユーザは、携帯端末１００の消費電力を抑えながら、必要な情報を画素メモリ内蔵液晶パネル２でいつでも確認することができる。
【０１５１】
また、コピー領域の画像は、不揮発性メモリに記憶されるので、携帯端末１００を動作停止状態とした後で、省電力モード（表示）に遷移させたときでも、コピー領域の画像を画素メモリ内蔵液晶パネル２に表示させることができる。
【０１５２】
なお、携帯端末１００の状態遷移は、図１０に示した携帯端末５０の状態遷移と同様であるから、ここでは説明を省略する。
【０１５３】
〔要部構成〕
続いて、携帯端末１００の構成について、図１３に基づいて説明する。図１３は、携帯端末１００の要部構成を示すブロック図である。図示のように、携帯端末１００は、主表示部５を備えている点を除けば、携帯端末５０と同様の構成を備えている。
【０１５４】
主表示部５は、表示処理部２０の指示に従って画像を表示する表示装置である。主表示部５は、画像を表示する機能を有していればよく、特に限定されないが、例えば液晶表示パネル等で構成することもできる。
【０１５５】
〔コピー領域の指定方法〕
次に、主表示部５に表示されている画像のうち、切り出して画素メモリ内蔵液晶パネル２に表示する領域（コピー領域）を指定する方法について、図１４から図１８に基づいて説明する。
【０１５６】
〔ポインタによる指定〕
図１４は、ポインタによってコピー領域を指定する方法を示す図である。図示のように、主表示部５には、ポインタＰが表示されている。この状態において、コピー領域を指定するための領域設定キー（図示せず）を押下しながらポインタＰを移動させることでコピー領域を指定する。
【０１５７】
すなわち、携帯端末１００は、領域設定キーが押下されたときのポインタＰの位置をコピー領域の１頂点として特定し、現時点のポインタＰの位置をコピー領域の他の頂点として特定する。そして、コピー領域は、領域設定キーの押下が解除されたときに確定する。すなわち、領域設定キーの押下が解除される直前のポインタＰの位置と、領域設定キーが押下されたときのポインタＰの位置とを結ぶ線分を対角線とする矩形で特定される領域が、コピー領域として確定される。
【０１５８】
また、特定したコピー領域は、そのコピー領域をユーザが認識できるように表示される。例えば、同図では、コピー領域を破線で囲む表示を行うことによって、コピー領域をユーザが認識できるようにしている。無論、コピー領域は、そのコピー領域の範囲をユーザが認識できるように表示されればよく、この例に限られない。
【０１５９】
さらに、携帯端末１００は、コピー領域が確定されるまでの間も、画素メモリ内蔵液晶パネル２にコピー領域を表示する。つまり、コピー領域が確定されるまでの間は、ポインタＰの移動と共に、コピー領域も変化し、これに合わせて画素メモリ内蔵液晶パネル２に表示される画像も変化するようになっている。これにより、ユーザは、画素メモリ内蔵液晶パネル２の表示を確認しながら、コピー領域を確定することができる。
【０１６０】
〔コピー領域の画像の表示方法〕
上記のように、コピー領域のサイズ及び形状を任意に指定できるようにした場合には、指定したコピー領域の形状と、画素メモリ内蔵液晶パネル２の形状とが一致しないことが考えられる。
【０１６１】
このため、コピー領域のサイズ及び形状を任意に指定できるようにした場合には、コピー領域の画像を画素メモリ内蔵液晶パネル２に表示するときに、画素メモリ内蔵液晶パネル２の形状及びサイズに合うように画像処理して表示することが好ましい。
【０１６２】
これについて、図１５に基づいて説明する。図１５は、コピー領域の画像を画像処理して画素メモリ内蔵液晶パネル２に表示させる例を示す図であり、同図（ａ）はコピー領域の画像を回転させて表示させる例を示し、同図（ｂ）はコピー領域の画像を画素メモリ内蔵液晶パネル２の形状に合わせて引き伸ばして表示させる例を示している。
【０１６３】
図１５（ａ）に示すように、縦長の画素メモリ内蔵液晶パネル２に対して、横長のコピー領域が指定されたときには、携帯端末１００は、当該コピー領域の画像を９０度回転させて画素メモリ内蔵液晶パネル２に表示させる。これにより、ユーザがコピー領域の画像を確認しやすくなる。この構成は、例えばコピー領域の縦横比を算出し、算出した縦横比に応じて画像を回転させるか否かを判定することで実現できる。
【０１６４】
また、同図（ｂ）に示すように、縦長の画素メモリ内蔵液晶パネル２に対して、縦横の長さがほぼ等しいコピー領域が指定されたときには、携帯端末１００は、当該コピー領域の画像を縦方向に引き伸ばして画素メモリ内蔵液晶パネル２に表示させる。このように、コピー領域の画像について、その縦横のサイズを独立して伸縮させ、画素メモリ内蔵液晶パネル２の全面を使って表示することによって、ユーザがコピー領域の画像を確認しやすくなる。
【０１６５】
〔２点指定による指定〕
次に、主表示部５を多点同時検出が可能なタッチパネルとした場合に、コピー領域を指定する方法について、図１６に基づいて説明する。図１６は、多点同時検出が可能なタッチパネルにて、２点を指定することによりコピー領域を指定する方法を示す図である。
【０１６６】
図示のように、主表示部５には、コピー領域の指定を開始するためのコピーキーＫが表示されており、このコピーキーＫに指やペン等でタッチすることによって、コピー領域指定モードに移行する（同図上）。
【０１６７】
次に、コピー領域指定モードにおいて、主表示部５上の２点を同時にタッチすることによって、タッチされた２点を結ぶ線分を対角線とする矩形で特定される領域が、コピー領域の候補となる。また、この候補となったコピー領域の画像は、画素メモリ内蔵液晶パネル２に表示される（同図中央）。
【０１６８】
そして、主表示部５への接触が検出されなくなったときには、その直前にタッチされていた２点を結ぶ線分を対角線とする矩形で特定される領域が、コピー領域として確定され、これにより、コピー領域指定モードが終了する（同図下）。
【０１６９】
なお、ここでは、２点を同時にタッチすることによってコピー領域を指定する例を示したが、コピー領域を特定するための２点は、必ずしも同時に指定する必要はない。すなわち、コピー領域指定モードにおいて、コピー領域を特定するための２点を順次指定するようにしてもよい。この場合には、タッチパネルは多点同時検出する機能を備えている必要がない。また、タッチパネルを用いる場合には、ペンや指先などで主表示部５上に描かれた軌跡で囲まれる領域をコピー領域としてもよい。
【０１７０】
〔コピー領域の移動による指定（主表示部５に対する操作）〕
続いて、予め定めた形状のコピー領域を主表示部５上で移動させることによって、主表示部５に表示されている画像のうち、画素メモリ内蔵液晶パネル２に表示させる（コピーする）領域を指定する方法について、図１７に基づいて説明する。図１７は、コピー領域を移動させることによって、画素メモリ内蔵液晶パネル２にコピーする領域を指定する方法を示す図である。
【０１７１】
図示のように、主表示部５には、コピーキーＫ及びポインタＰが表示されており、このコピーキーＫをポインタＰで選択することによって、コピー領域指定モードに移行する。コピー領域指定モードでは、コピー領域が破線で表示され、コピー領域の画像が画素メモリ内蔵液晶パネル２に表示される（同図上）。
【０１７２】
このコピー領域は、ポインタＰを使って主表示部５上でドラッグすることができるようになっている。また、コピー領域が移動すると、それに合わせて画素メモリ内蔵液晶パネル２に表示される画像も変化する（同図中央）。
【０１７３】
そして、もう一度コピーキーＫをポインタで選択することによって、そのときのコピー領域の画像が、画素メモリ内蔵液晶パネル２に表示させる画像として決定される。また、主表示部５に表示されていたコピー領域を示す破線の表示が消える（同図下）。
【０１７４】
なお、画素メモリ内蔵液晶パネル２の画面サイズは予め決まっているので、コピー領域のサイズは、画素メモリ内蔵液晶パネル２の画面サイズに合わせて設定しておくことが好ましい。また、コピー領域を主表示部５上で移動させる方法としては、ポインタＰによるドラッグに限られず、例えば入力キー等によって移動させるようにしてもよい。また、主表示部５をタッチパネルとした場合には、主表示部５にタッチしてドラッグすることによって、コピー領域を移動させるようにしてもよい。
【０１７５】
〔コピー領域の移動による指定（画素メモリ内蔵液晶パネル２に対する操作）〕
また、画素メモリ内蔵液晶パネル２に対する操作によって、コピー領域を移動させるようにしてもよい。これについて、図１８に基づいて説明する。図１８は、画素メモリ内蔵液晶パネル２に対する操作によって、コピー領域を移動させる方法を示す図である。なお、ここでは、画素メモリ内蔵液晶パネル２がユーザの操作を検知できるように、画素メモリ内蔵液晶パネル２をタッチパネルとすることを想定している。
【０１７６】
図示のように、主表示部５にはコピー領域が破線で表示されており、コピー領域の画像が画素メモリ内蔵液晶パネル２に表示されている（同図上）。なお、コピー領域を表示させる方法としては、例えば図１７の例と同様に、コピーキーＫを表示させて選択させる方法が挙げられる。
【０１７７】
ここで、主表示部５にコピー領域が表示されている状態において、画素メモリ内蔵液晶パネル２上をドラッグする操作が行われると、ドラッグの向き及び距離に応じた向き及び距離でコピー領域を移動させる（同図中央）。これにより、ユーザは、直感的な操作でコピー領域を移動させることができる。
【０１７８】
そして、例えばもう一度コピーキーＫをポインタで選択する等の操作によって、コピー領域の選択が終了されたときには、そのときのコピー領域の画像が、画素メモリ内蔵液晶パネル２に表示させる画像として決定される。また、主表示部５に表示されていたコピー領域を示す破線の表示が消える（同図下）。
【０１７９】
なお、主表示部５上のコピー領域のサイズは、ユーザの選択によって変更できるようにすることが好ましい。そして、コピー領域のサイズが画素メモリ内蔵液晶パネル２のサイズよりも大きいときには、画素メモリ内蔵液晶パネル２に縮小して表示し、コピー領域のサイズが画素メモリ内蔵液晶パネル２のサイズよりも小さいときには、画素メモリ内蔵液晶パネル２に拡大して表示することが好ましい。これにより、画素メモリ内蔵液晶パネル２のサイズよりも大きい領域の画像をコピーすることができ、また画素メモリ内蔵液晶パネル２のサイズよりも小さい領域の画像を拡大して見やすく表示することができる。
【０１８０】
〔変形例〕
上述の携帯端末１００は、主表示部５と画素メモリ内蔵液晶パネル２とが、携帯端末１００の筐体上における同一の平面上に配置されているものであったが、主表示部５と画素メモリ内蔵液晶パネル２との配置は、この例に限られない。ここでは、携帯端末１００において、主表示部５と画素メモリ内蔵液晶パネル２との配置等を変更した変形例について図１９から図２１に基づいて説明する。なお、上記実施形態と同様の構成については同一の参照番号を付し、その説明を省略する。
【０１８１】
〔携帯端末１００’の概要〕
本変形例の携帯端末（情報処理装置）１００’の概要について、図１９に基づいて説明する。図１９は、携帯端末１００’の外観を示す図であり、同図（ａ）は正面図であり、同図（ｂ）は背面図である。
【０１８２】
同図（ａ）（ｂ）に示すように、携帯端末１００’は、ヒンジを軸に開閉可能ないわゆるクラムシェル型の端末である。同図（ａ）に示すように、主表示部５は、携帯端末１００’を開いた状態で視認することのできる位置に配置されている。また、同図（ｂ）に示すように、画素メモリ内蔵液晶パネル２は、携帯端末１００’を閉じた状態でも確認することのできる位置に配置されている。
【０１８３】
携帯端末１００’は、自端末の開閉に応じて通常モードと省電力モードとの切り替えを行う点が、携帯端末１００と相違している。それ以外の点については、携帯端末１００と同様である。
【０１８４】
〔状態遷移〕
次に、携帯端末１００’の状態遷移について、図２０に基づいて説明する。図２０は、携帯端末１００’の状態遷移を示す図である。
【０１８５】
携帯端末１００’の状態遷移は、図１０の例とほぼ同様であるが、図１０の終了操作（２）及び（３）が、携帯端末１００’を閉じる操作となっており、図１０の起動操作（２）及び（４）が、携帯端末１００’を開く操作となっている点が異なっている。
【０１８６】
つまり、携帯端末１００’は、通常モード時に閉じられると、省電力モード（表示）または（非表示）に遷移する。また、省電力モード（表示）または（非表示）時に閉じられると、通常モードに遷移する。なお、通常モード時に携帯端末１００’を閉じたときに、省電力モード（表示）及び（非表示）のいずれに遷移するかは、予め設定されているものとする。
【０１８７】
また、図１９（ａ）に示すように、携帯端末１００’の電源スイッチ３は、端末を開いた状態で操作する位置に配置されている。このため、携帯端末１００’では、省電力モード（表示）または（非表示）から、動作停止状態への遷移が行われない。つまり、携帯端末１００’の状態遷移は、図１０における終了操作（５）及び（６）に対応する遷移がない点でも異なっている。
【０１８８】
〔処理の流れ〕
続いて、携帯端末１００’における処理及び状態遷移の流れについて、図２１に基づいて説明する。図２１は、携帯端末１００’が実行する処理及び携帯端末１００’の状態遷移の一例を示すフローチャートである。なお、携帯端末１００’は、携帯端末１００と同様の構成を備えているので、以下では、携帯端末１００’が、図１３に示す携帯端末１００と同じブロックを備えているものとして説明する。
【０１８９】
図２１のフローチャートは、携帯端末１００’が閉じられており、省電力モード（非表示）となっている状態から開始している。この状態において、携帯端末１００’の電源制御部２１は、携帯端末１００’が開かれたか否かを監視する（Ｓ２１）。なお、ここでは、携帯端末１００’の開閉は、例えば携帯端末１００’の開閉の軸となるヒンジにスイッチを設けておき、このスイッチのＯＮ／ＯＦＦによって検出することを想定している。無論、携帯端末１００’の開閉の検出方法は、この例に限られない。
【０１９０】
ここで、電源制御部２１は、携帯端末１００’が開かれたことを確認した場合（Ｓ２１でＹＥＳ）には、携帯端末１００’を通常モードで動作させる（Ｓ２２）。つまり、電源制御部２１は、携帯端末１００’の全体に電力が供給されるように制御する。
【０１９１】
通常モードで動作する携帯端末１００’では、図８の例と同様に、地図表示アプリが起動される。そして、この地図表示アプリによって、携帯端末１００’の現在地からユーザが指定した目的地までの地図が取得され、主表示部５に表示される（Ｓ２３）。なお、通常モードでは、ユーザは主表示部５を見ながら操作を行うと考えられるので、画素メモリ内蔵液晶パネル２を非表示状態にしても構わない。
【０１９２】
ここで、携帯端末１００’は、閉じられていない間（Ｓ２４でＮＯ）は、通常モードで動作し続ける。一方、携帯端末１００’が閉じられたことが確認された場合（Ｓ２４でＹＥＳ）には、主表示部５に表示されていた画像（この例では地図画像）を画素メモリ内蔵液晶パネル２に表示させ、その後省電力モード（表示）に遷移する（Ｓ２５）。
【０１９３】
具体的には、電源制御部２１は、携帯端末１００’が閉じられたことを確認すると、その旨を制御部１６に通知する。通知を受けた制御部１６は、表示処理部２０に指示して、主表示部５に表示させていた画像を、画素メモリ内蔵液晶パネル２に表示させる。また、制御部１６は、画素メモリ内蔵液晶パネル２に表示させる画像を不揮発性メモリ３４に記憶させる。
【０１９４】
なお、画素メモリ内蔵液晶パネル２のサイズ及び形状と、主表示部５のサイズ及び形状が異なっていることも考えられる。このため、制御部１６は、主表示部５に表示させていた画像のサイズ及び形状が、画素メモリ内蔵液晶パネル２と合うように処理を施した画像を表示させ、不揮発性メモリ３４に記憶させてもよい。
【０１９５】
以上の処理が終了すると、制御部１６は、その旨を電源制御部２１に通知し、この通知を受けた電源制御部２１は、画素メモリ内蔵液晶パネル２以外の構成への電力供給を停止し、これにより、携帯端末１００’は、省電力モード（表示）に遷移する。
【０１９６】
つまり、携帯端末１００’が閉じられると、主表示部５に表示されていた地図画像が、携帯端末１００’が閉じられた状態でも視認可能な位置に配置されている画素メモリ内蔵液晶パネル２に表示され、画素メモリ内蔵液晶パネル２以外への電力供給が停止される。これにより、ユーザは、携帯端末１００’の消費電力を抑えた状態としつつ、いつでも地図画像を確認することができる。
【０１９７】
ここで、省電力モード（表示）の携帯端末１００’では、表示スイッチ４をＯＦＦに切り替える操作（Ｓ２６）、または携帯端末１００’を開く操作（Ｓ２７）を行うことが可能である。なお、何れの操作も行われない間（Ｓ２６及びＳ２７でＮＯ）は、省電力モード（表示）が継続する。
【０１９８】
表示スイッチ４をＯＦＦに切り替える操作が行われず（Ｓ２６でＮＯ）、携帯端末１００’を開く操作が行われたとき（Ｓ２７でＹＥＳ）には、携帯端末１００’は通常モードで動作するようになる（Ｓ２）。つまり、携帯端末１００’が開かれると、電源制御部２１がこれを検知して、携帯端末１００’の全体に電力が供給されるように制御し、これにより携帯端末１００’が通常モードで動作するようになる。
【０１９９】
一方、表示スイッチ４をＯＦＦに切り替える操作が行われたとき（Ｓ２６でＹＥＳ）には、携帯端末１００’は、省電力モード（非表示）に遷移する（Ｓ２８）。このように、省電力モード（表示）と省電力モード（非表示）との切り替えは、携帯端末１００’が閉じられた状態で行われるので、表示スイッチ４は、携帯端末１００’が閉じた状態で操作可能な位置に設けられる。例えば、図１９に示すように、表示スイッチ４を携帯端末１００’の筐体側面に設けてもよい。
【０２００】
なお、省電力モード（表示）において、表示スイッチ４をＯＦＦに切り替える操作が行われた場合（Ｓ２６でＹＥＳ）には、図７に示したように、画素メモリ内蔵液晶パネル２において、ＡＮＤ回路６２２への入力の一方が常に「０」となる状態になり、これにより該ＡＮＤ回路６２２からの出力も常に「０」となる。このため、携帯端末１００’は、画素メモリ内蔵液晶パネル２に電力が供給された状態であるが、画像は表示されない省電力モード（非表示）に遷移する。
【０２０１】
そして、省電力モード（非表示）の携帯端末１００’では、表示スイッチ４をＯＮに切り替える操作（Ｓ２９）、または携帯端末１００’を開く操作（Ｓ３０）を行うことが可能である。なお、表示スイッチ４をＯＮに切り替える操作も、携帯端末１００’を開く操作も行われない（Ｓ２９及びＳ３０でＮＯ）間は、省電力モード（非表示）が継続する。
【０２０２】
ここで、表示スイッチ４をＯＮに切り替える操作が行われた場合（Ｓ２９でＹＥＳ）には、図７に示したように、画素メモリ内蔵液晶パネル２において、ＡＮＤ回路６２２に対する表示スイッチ４からの入力が「１」となり、これにより該ＡＮＤ回路６２２からの出力は、デジタルメモリ素子６１８からの出力と同じになる。このため、携帯端末１００’は、画素メモリ内蔵液晶パネル２に、デジタルメモリ素子６１８に記憶された画像情報に基づく画像が表示される省電力モード（表示）に遷移する（Ｓ２５）。
【０２０３】
また、携帯端末１００’を開く操作が行われた場合（Ｓ３０でＹＥＳ）には、電源制御部２１は、携帯端末１００’の全体にバッテリー２５からの電力を供給する。これにより、携帯端末１００’は通常モードに遷移し、以後通常モードで動作する（Ｓ２２）。
【０２０４】
なお、携帯端末１００’は、図１９（ａ）に示したように、開いた状態（通常モード）において、電源スイッチ３を操作することができるようになっている。このため、図２１には示していないが、通常モードにおいて、電源スイッチ３を操作することによって、携帯端末１００’を動作停止状態にすることもできる。また、動作停止状態の携帯端末１００’を開いて電源スイッチ３を操作することによって、該携帯端末１００’を通常モードに遷移させることもできる。
【０２０５】
また、上記のフローチャートでは、電源スイッチ３がＯＦＦに切り替えられた場合については記載していないが、携帯端末１００’では、通常モードでの動作中に電源スイッチ３をＯＦＦに切り替える操作が可能である。そして、通常モードでの動作中に電源スイッチ３がＯＦＦに切り替えられたときには、図８のＳ８と同様に、携帯端末１００’は動作停止状態に遷移して、処理が終了する。
【０２０６】
さらに、上記の例では、携帯端末１００’がクラムシェル型である例について説明したが、これに限られず、例えば２つの筐体をスライドさせることによって、主表示部５が露出する状態と隠れる状態とを切り替えるスライド型としてもよい。
【０２０７】
また、上記の各実施形態では、本発明の画素メモリ内蔵液晶パネル２を、携帯通信網に接続して通話等を行うことのできる携帯型の端末に適用した例を説明したが、この例に限られない。例えば、画素メモリ内蔵液晶パネル２は、ＰＤＡ、ノート型パソコン、電子辞書等の表示装置として適用することもできる。また、据え置き型のパソコン等のように、非携帯型の情報処理装置の表示装置として適用することもできる。つまり、画素メモリ内蔵液晶パネル２は、画像を表示させる駆動を行う任意の装置と組み合わせて使用することができる。
【０２０８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０２０９】
本発明の表示装置は、消費電力が低く、かつ画像の再書き込みを行うことなく表示のＯＮ／ＯＦＦを切り替えることができるものであり、種々の情報処理装置の表示装置として広く利用することができる。なお、本表示装置と情報処理装置とは、例えば携帯電話機、ＰＤＡ、及びノート型パソコンのように一体に構成されていてもよいし、据え置き型パソコンのように別体として構成されていてもよい。
【符号の説明】
【０２１０】
１、５０、１００、１００’  携帯端末（情報処理装置）
２  画素メモリ内蔵液晶パネル（表示装置）
４  表示スイッチ（切替手段）
５  主表示部（表示部）
２０  表示処理部（表示処理手段）
２１  電源制御部（電力供給制御手段）
３１  表示制御部（記憶画像表示制御手段、指定画像表示制御手段）
３３  表示部（記憶素子付表示部）
３４  不揮発性メモリ（記憶部）
６１４  液晶セル（表示素子）
６１８  デジタルメモリ素子（記憶素子）
６２２  ＡＮＤ回路（切替手段）
【図１】
2011118307.tif 000003
【図２】
2011118307.tif 000004
【図３】
2011118307.tif 000005
【図４】
2011118307.tif 000006
【図５】
2011118307.tif 000007
【図６】
2011118307.tif 000008
【図７】
2011118307.tif 000009
【図８】
2011118307.tif 000010
【図９】
2011118307.tif 000011
【図１０】
2011118307.tif 000012
【図１１】
2011118307.tif 000013
【図１２】
2011118307.tif 000014
【図１３】
2011118307.tif 000015
【図１４】
2011118307.tif 000016
【図１５】
2011118307.tif 000017
【図１６】
2011118307.tif 000018
【図１７】
2011118307.tif 000019
【図１８】
2011118307.tif 000020
【図１９】
2011118307.tif 000021
【図２０】
2011118307.tif 000022
【図２１】
2011118307.tif 000023